(57)【特許請求の範囲】
【請求項１】
第１表示領域及び第２表示領域を有する表示部と、
前記第１表示領域に第１画像、前記第２表示領域に第２画像を表示させる表示制御部と、前記第２表示領域上で行われた、位置を示す第１種の接触操作、及び当該第１種の接触操作と異なる第２種の接触操作を検出する操作検出部とを備え、
前記表示制御部は、
前記第２画像のうち、前記操作検出部が検出した前記第１種の接触操作が示す位置に表示されている部分を含む画像を拡大した前記第１画像を前記第１表示領域に表示させ、前記第１表示領域上の位置を示す記号が当該第１画像に重ねて表示されているときに、前記第２種の接触操作を前記操作検出部が検出すると、前記第１画像のうち前記記号の位置に対応する画像の情報を、当該第１画像に重ねて表示させる
ことを特徴とする携帯端末。
【請求項２】
前記表示制御部は、前記第１表示領域のみに、前記情報を表示させることを特徴とする請求項１記載の携帯端末。
【請求項３】
前記表示制御部は、前記情報を、前記記号と重ならない位置に表示させる
ことを特徴とする請求項１又は請求項２記載の携帯端末。
【請求項４】
前記第１画像及び前記第２画像は地図の画像であって、
前記表示制御部は、前記記号の位置に建物の画像があるときに、前記情報として当該建物の名前を含ませて表示させる
ことを特徴とする請求項１乃至請求項３のいずれか一つに記載の携帯端末。
【請求項５】
前記表示制御部は、前記記号として矢印のカーソルを表示させる
ことを特徴とする請求項１乃至請求項４のいずれか一つに記載の携帯端末。
【請求項６】
前記表示部は、
前記第１表示領域を有するディスプレイと、
前記第２表示領域を有するタッチパネルとからなり、
前記操作検出部は、前記タッチパネルからの出力に基づいて、前記第１種の接触操作及び前記第２種の接触操作を検出する
ことを特徴とする請求項１乃至請求項５のいずれか一つに記載の携帯端末。
【請求項７】
前記操作検出部は、更に
前記第２表示領域への前記第１種の接触操作及び前記第２種の接触操作とは異なる、位置を示す第３種の接触操作を区別して検出するものであり、
前記表示制御部は、更に
前記操作検出部が検出した前記第３種の接触操作が示す位置に基づいて、前記記号の表示位置を変更する
ことを特徴とする請求項１乃至請求項６のいずれか一つに記載の携帯端末。
【請求項８】
前記操作検出部は、更に
前記第２表示領域への前記第１種の接触操作及び前記第２種の接触操作とは異なる、接触位置の変化を伴う操作である第３種の接触操作を区別して検出するものであり、
前記表示制御部は、
前記第３種の接触操作が示す接触位置の変化の方向に、接触位置の変化量分、前記カーソルの表示位置を移動させて表示する
ことを特徴とする請求項５記載の携帯端末。
【請求項９】
前記第２種の接触操作は、接触が開始されてから特定時間が経過する前に当該接触が終了する操作である
ことを特徴とする請求項１乃至請求項８のいずれか一つに記載の携帯端末。
【請求項１０】
前記操作検出部は、更に
前記第２表示領域への前記第１種の接触操作とは異なる、接触位置の変化を伴う第４種の接触操作を検出するものであり、
前記表示制御部は、更に
前記操作検出部が前記第４種の接触操作を検出した場合に、前記接触位置の変化の方向に、第１表示領域の画面をスクロール表示させる
ことを特徴とする請求項１乃至請求項９のいずれか一つに記載の携帯端末。
【請求項１１】
前記表示制御部は、
前記操作検出部が前記第４種の接触操作を検出した場合に、当該第４種の接触操作における接触位置の変化量と、前記第１画像の、前記第２画像に対する拡大率とに応じた量だけ、前記第１表示領域の画面をスクロール表示させる
ことを特徴とする請求項１０記載の携帯端末。
【請求項１２】
前記表示部は、
前記第１表示領域を有する第１タッチパネルと、
前記第２表示領域を有する第２タッチパネルとからなる
ことを特徴とする請求項１記載の携帯端末。
【請求項１３】
前記第１種の接触操作は、第１の接触から所定時間以内に第２の接触が行われる操作、又は接触が開始されてから特定時間が経過した後に当該接触が終了する操作である
ことを特徴とする請求項１記載の携帯端末。
【請求項１４】
第１表示領域及び第２表示領域を有する表示部を備える携帯端末における表示制御方法であって、
前記第１表示領域に第１画像、前記第２表示領域に第２画像を表示させる表示制御ステ
ップと、
前記第２表示領域上で行われた、位置を示す第１種の接触操作、及び当該第１種の接触操作と異なる第２種の接触操作を検出する操作検出ステップとを含み、
前記表示制御ステップは、
前記第２画像のうち、前記操作検出ステップで検出された前記第１種の接触操作が示す位置に表示されている部分を含む画像を拡大した前記第１画像を前記第１表示領域に表示させ、
前記第１表示領域上の位置を示す記号が当該第１画像に重ねて表示されているときに、前記第２種の接触操作を前記操作検出ステップで検出すると、前記第１画像のうち前記記号の位置に対応する画像の情報を、当該第１画像に重ねて表示させる
ことを特徴とする表示制御方法。
【請求項１５】
第１表示領域及び第２表示領域を有する表示部を備える携帯端末におけるプロセッサに表示制御処理を行わせるためのプログラムであって、
前記表示制御処理は、
前記第１表示領域に第１画像、前記第２表示領域に第２画像を表示させる表示制御ステップと、
前記第２表示領域上で行われた、位置を示す第１種の接触操作、及び当該第１種の接触操作と異なる第２種の接触操作を検出する操作検出ステップとを含み、
前記表示制御ステップは、
前記第２画像のうち、前記操作検出ステップで検出された前記第１種の接触操作が示す位置に表示されている部分を含む画像を拡大した前記第１画像を前記第１表示領域に表示させ、
前記第１表示領域上の位置を示す記号が当該第１画像に重ねて表示されているときに、前記第２種の接触操作を前記操作検出ステップで検出すると、前記第１画像のうち前記記号の位置に対応する画像の情報を、当該第１画像に重ねて表示させる
ことを特徴とするプログラム。
【発明の詳細な説明】
【技術分野】
【０００１】
本発明は、複数の表示領域を備える携帯電話機等の携帯端末に関し、特に、ユーザインタフェースの改良に関する。
【背景技術】
【０００２】
従来、対象画像全体と対象画像の一部を拡大した画像とを、一画面に表示させる技術が知られている（例えば特許文献１）。
特許文献１に係る表示装置は、一画面をメイン画面とサブ画面とに分割し、サブ画面内に対象画像全体を表示し、サブ画面上において、ユーザによりマウス操作で指定された部分を拡大した画像をメイン画面内に表示する。
【先行技術文献】
【特許文献】
【０００３】
【特許文献１】特開平１０−２６９０５３号公報
【発明の概要】
【発明が解決しようとする課題】
【０００４】
しかしながら、特許文献１では、メイン画面内に拡大表示させる部分の指定をマウス操作により行っており、例えば、タッチパネルを備える携帯端末等、マウスを備えない携帯端末には特許文献１の技術を適用できない。
そこで、拡大表示させる画像部分を簡単に指定できるようにした携帯端末を提供することを目的とする。
【課題を解決するための手段】
【０００５】
上記課題を解決するために、本発明に係る携帯端末は、第１表示領域及び第２表示領域を有する表示部と、前記第１表示領域及び前記第２表示領域に画像を表示させる表示制御部と、前記第２表示領域上で行われた、位置を示す第１種の接触操作を検出する操作検出部とを備え、前記表示制御部は、前記第２表示領域に表示中の画像のうち、前記操作検出部が検出した前記第１種の接触操作が示す位置に表示されている部分を含む画像を拡大した画像を前記第１表示領域に表示させることを特徴とする。
【発明の効果】
【０００６】
上記構成を備える本発明に係る携帯端末によれば、拡大表示させる画像部分を簡単に指定できる。
【図面の簡単な説明】
【０００７】
【図１】実施の形態に係る携帯電話機１００の閉状態、開状態及び全開状態の外観を示す図
【図２】各タッチパネルへの１つの地図を構成する各地図画像の表示例及び第１種の接触操作の例を示す図
【図３】第１種の接触操作及び第２種の接触操作それぞれが行われた場合の各タッチパネルの表示例を示す図
【図４】第３種の接触操作及び位置変化操作それぞれが行われた場合の各タッチパネルの表示例を示す図
【図５】携帯電話機１００の主要部の機能構成を示すブロック図
【図６】拡大画像Ｄａと部分画像Ｔａとの関係を説明するための図
【図７】各タッチパネルにおけるスクロール表示前後の部分画像の位置を示す図
【図８】操作設定情報２０を設定するためのユーザ操作を説明するための図（図９へ続く）
【図９】操作設定情報２０を設定するためのユーザ操作を説明するための図（図８から続く）
【図１０】携帯電話機１００の表示制御処理を示すフローチャート
【発明を実施するための形態】
【０００８】
以下、本発明に係る携帯端末の一実施形態としての携帯電話機について説明する。
≪実施の形態≫
＜１．装置構成＞
まず、実施の形態に係る携帯電話機１００の装置構成について説明する。
図１（ａ）は、携帯電話機１００の閉状態の外観を示す斜視図であり、図１（ｂ）は、携帯電話機１００の開状態の外観を示す斜視図であり、図１（ｃ）は、携帯電話機１００の全開状態の外観を示す斜視図である。
【０００９】
携帯電話機１００は、図１（ａ）〜（ｃ）に示されるように、第１筐体１と第２筐体２とが相対的に移動可能なスライド式の端末であり、第１筐体１、第２筐体２及び第１筐体１と第２筐体２とを接続するアーム３を備えている。
第１筐体１には、レシーバ４、マイク５及び第１タッチパネル１１０が備えられ、磁石６が内蔵されており、第２筐体２には、第２タッチパネル１２０が備えられ、磁気センサ７が内蔵されている。
【００１０】
アーム３は、その基端側が第２筐体２に回転自在に軸支されており、先端側が第１筐体１をスライド移動並びに回転自在に支持している。従って、この携帯電話機１００は、第１筐体１と第２筐体２とが単なる相対回動するだけでなく、閉状態と開状態と全開状態との間で変更することが可能である。
携帯電話機１００は、図１（ａ）に示すように、第２筐体２に第１筐体１が重ね合わさり、第２タッチパネル１２０が視認できない閉状態から、アーム３により、第１筐体１が第２筐体２の主表面に沿って移動することで、図１（ｂ）に示す開状態になり、図１（ｃ）に示すように、第１筐体１の主表面と第２筐体２の主表面とが略同一平面上に揃い、第１タッチパネル１１０及び第２タッチパネル１２０が視認可能な全開状態になる。なお、ここでは、各筐体においてディスプレイが存在する側の表面を主表面と表現している。
【００１１】
携帯電話機１００は、磁気センサ７による磁石６の磁力の検出の有無により、閉状態であるか否かを判定することができる。即ち、携帯電話機１００は、磁石６が発生する磁力を磁気センサ７が検出した場合に、閉状態であると判定し、磁気センサ７が検出しない場合に、閉状態でない、つまり開状態又は全開状態であると判定する。
＜２．表示例＞
次に、図２〜４を用いて、携帯電話機１００の表示例を説明する。
【００１２】
図２（ａ）は、各タッチパネル（１１０、１２０）に、地図アプリケーションから指示された１つの地図を構成する各地図画像が表示されていた例を示している。
また、同図では、特にタッチパネル１１０にカーソルＧ２０が、タッチパネル１２０に各スクロールバー（Ｇ１０、Ｇ１１）が、それぞれ表示されている。
この状態において、図２（ｂ）に示すように、ユーザが、例えば、第２タッチパネル１２０に表示されている地図画像上の任意の位置で、第１種の接触操作を行ったとする。
【００１３】
すると、携帯電話機１００は、第２タッチパネル１２０に表示されている地図画像を拡大した拡大画像を生成し、第１種の接触操作が行われた第２タッチパネル１２０上の位置に表示されている部分を中心として、第１タッチパネル１１０に表示する（図３（ａ）参照）。
なお、本実施形態では、拡大画像の拡大率は一定量であるものとする。また、本実施形態では、第１種の接触操作は、ダブルタップ又はロングタップであるものとし、ユーザが、いずれを第１種の接触操作とするかを設定できるものとする。また、本実施の形態では、後述する第２種の接触操作は、ドラッグであり、後述する第３種の接触操作は、シングルタップであるものとする。
【００１４】
ここで、ダブルタップとは、第１の接触から所定時間（例えば０．５秒）以内に第２の接触が行われる操作をいい、ロングタップとは、接触を開始してから特定時間（例えば、１秒）が経過した後にその接触を終了する操作をいう。また、ドラッグとは、接触を維持したまま接触位置を移動させ、その後に、接触を終了する操作をいう。また、シングルタップとは、接触を開始してから上記特定時間が経過する前にその接触を終了する操作をいう。
【００１５】
図３（ａ）では、特にタッチパネル１１０に、カーソルＧ２０の他、拡大ボタンＧ２１及び縮小ボタンＧ２２が表示されている。なお、拡大ボタンＧ２１の表示位置で、シングルタップを行うと、第１タッチパネル１１０に表示されている画像は、更に、一定量拡大表示される。また、縮小ボタンＧ２２の表示位置で、ユーザがシングルタップを行うと、第１タッチパネル１１０に表示されている画像は、一定量縮小表示される。
【００１６】
図３（ａ）に示す状態において、図３（ｂ）に示すように、ユーザが、第２タッチパネル１２０上の任意の位置で第２種の接触操作（本実施の形態では、ドラッグ）を行ったとする。すると、携帯電話機１００は、同図に示すように、第１タッチパネル１１０に表示させていたカーソルＧ２０を移動表示する。なお、本実施の形態では、ドラッグ操作の向き及び距離と、カーソルＧ２０の移動の向き及び距離とは一致するものとする。
【００１７】
図３（ｂ）に示す状態において、図４（ａ）に示すように、ユーザが、第２タッチパネル１２０上の任意の位置で第３種の接触操作（本実施の形態では、シンブルタップ）を行ったとする。すると、携帯電話機１００は、同図に示すように、第１タッチパネル１１０におけるカーソルＧ２０の表示位置にある建物の情報Ｇ２３を表示する。
また、図４（ｂ）に示すように、ユーザが、スクロールバーＧ１０のノブＧ１２を右方向にドラッグすると、携帯電話機１００は、各タッチパネル（１１０、１２０）に表示されている各地図画像を横方向にスクロール表示する。なお、特に図示して説明しないが、スクロールバーＧ１１のノブをドラッグすると、携帯電話機１００は、各タッチパネル（１１０、１２０）に表示されている各地図画像を縦方向にスクロール表示する。また、本実施の形態では、各スクロールバーのドラッグ操作を、接触位置の変化を伴う所定の位置変化操作の一例として説明する。また、本実施の形態においては、第２タッチパネル１２０におけるスクロール量に対する第１タッチパネル１１０におけるスクロール量の割合は、ユーザが操作したスクロールバー（Ｇ１０又はＧ１１）におけるドラッグ量と第１タッチパネル１１０に表示されている地図画像の現在の拡大率とに応じて大きくなるものとする。
【００１８】
このように、マウスを備えない携帯電話機１００においても、ユーザが、第１タッチパネル１１０に拡大表示させる画像部分を、第２タッチパネル上への第１の接触操作により簡単に指定することができる。また、携帯電話機１００によれば、ユーザは、第１タッチパネル１１０に表示されている画像を自身の指等で隠してしまうことなく、第１タッチパネル１１０に表示されている画像全体を見ながら、第２種、第３種の接触操作及び所定の位置変化操作を行うことができる。
【００１９】
＜３．機能構成＞
図５は、携帯電話機１００の主要部の機能構成を示すブロック図である。
携帯電話機１００は、同図に示すように、磁石６と、磁気センサ７と、第１タッチパネル１１０と、コントローラ１１３と、第２タッチパネル１２０と、コントローラ１２３と、記憶部１３０と、制御部１４０とを備える。
【００２０】
なお、携帯電話機１００は、プロセッサ及びメモリを含んで構成されており、制御部１４０の機能は、メモリに記憶されているプログラムをプロセッサが実行することにより実現される。
ここで、磁気センサ７は、磁石６が発生する磁力を検出する機能を有し、当該磁力を検出しているかを示す信号を、制御部１４０に出力するセンサである。
【００２１】
なお、磁石６による磁力を、閉状態において磁気センサ７が検出し、開状態及び全開状態において磁気センサ７が検出しないように、磁石６及び磁気センサ７の配置と、磁石６の磁力の強度とが調整されている。
また、第１タッチパネル１１０は、ＬＣＤ１１１及びタッチパッド１１２を含み、第２タッチパネル１２０は、ＬＣＤ１２１及びタッチパッド１２２を含む。
【００２２】
各タッチパッド（１１２、１２２）は、静電容量方式のタッチセンサであり、タッチパッド１１２は、ＬＣＤ１１１に重畳して設けられ、タッチパッド１２２は、ＬＣＤ１２１に重畳して設けられている。なお、各タッチパッドは、透明部材を用いて構成されており、各ＬＣＤ（１１１、１２１）に表示された画像が見えるように構成されている。
各コントローラ（１１３、１２３）は、対応するタッチパネルのタッチパッドに対するユーザの指等の接触を検出し、検出している間、単位時間（例えば、２５ｍｓ）毎に、そのタッチパッドにおける接触位置の座標値（ｘ，ｙ）を制御部１４０に出力するＩＣ（Ｉｎｔｅｇｒａｔｅｄ  Ｃｉｒｃｕｉｔ）である。なお、第１タッチパネル１１０とコントローラ１１３とが対応し、第２タッチパネル１２０とコントローラ１２３とが対応する。
【００２３】
また、記憶部１３０は、状態情報１０、操作設定情報２０、アプリケーションプログラム３０及びアプリケーションデータ４０を記憶するためのメモリ領域である。
ここで、状態情報１０は、携帯電話機１００の現在の状態が閉状態であるか否かを示す情報である。また、操作設定情報２０は、第１種〜第３種の接触操作として用いられる操作の種類を示す情報である。
【００２４】
また、アプリケーションプログラム３０は、携帯電話機１００が実行可能な各種アプリケーションプログラム（地図アプリケーション、Ｗｅｂブラウザ、メール等）である。アプリケーションデータ４０は、アプリケーションプログラム３０用のデータであり、例えば、地図アプリケーション用のデータには、地図画像や地図上の位置と対応付けて登録されている建物の情報がある。
【００２５】
また、制御部１４０は、携帯電話機１００の各機能部を制御する機能を有する他、特に、ユーザ操作に応じて、各タッチパネル（１１０、１２０）の表示を制御する機能を有する。なお、制御部１４０は、ユーザ操作に基づいて、記憶部１３０の操作設定情報２０の内容を更新する機能も有する。制御部１４０は、状態検出部１４１、操作検出部１４２、実行部１４３及び表示制御部１４４を含む。
【００２６】
ここで、状態検出部１４１は、磁気センサ７からの信号に基づいて、携帯電話機１００の状態が閉状態であるか否かを検出し、現在の状態を示すように記憶部１３０の状態情報１０を更新する機能を有する。即ち、状態検出部１４１は、磁気センサ７からの信号が、磁石６による磁力を検出していることを示す場合に、閉状態であることを検出し、磁気センサ７からの信号が、磁石６による磁力を検出してないことを示す場合に、閉状態でないこと（つまり、開状態又は全開状態であること）を検出する。
【００２７】
操作検出部１４２は、各コントローラ（１１３、１２３）から送出された座標値に基づいて、各タッチパネルで行われたユーザ操作を検出する機能を有する。操作検出部１４２は、特に、第２タッチパネル１２０で行われた第１種〜第３種の接触操作及び位置変化操作を区別して検出する。なお、操作検出部１４２は、ユーザ操作を検出した場合に、そのユーザ操作が行われたタッチパネルを示す情報と、ユーザ操作の種類を示す情報とを、実行部１４３及び表示制御部１４４に通知するものとする。
【００２８】
実行部１４３は、操作検出部１４２が検出したユーザ操作に応じた処理を実行する機能を有する。実行部１４３は、特に、地図アプリケーションを実行中に、操作検出部１４２により第２タッチパネル１２０上での第３種の接触操作が検出されると、第１タッチパネル１１０のカーソルＧ２０の表示位置にある建物の情報を記憶部１３０（アプリケーションデータ４０）から読み出して表示制御部１４４を介して表示させる（図４（ａ）参照）。なお、実行部１４３は、複数のアイコンを含むメニュー画像が表示されている場合において、ユーザが１つのアイコンを選択すると、そのアイコンに対応するアプリケーションプログラムを、記憶部１３０（アプリケーションプログラム３０）から読み出して実行する。
【００２９】
表示制御部１４４は、実行部１４３の指示に従って、各タッチパネル（１１０、１２０）の表示を制御する機能を有する他、特に、操作検出部１４２が検出したユーザ操作に応じて表示を制御する機能を有する。
以下、第２タッチパネル１２０において第１種の接触操作が行われた場合に、表示制御部１４４がどのように拡大表示を行うかを、図６を用いて説明する。
【００３０】
図６は、拡大画像Ｄａと部分画像Ｔａとの関係を説明するための図である。
ここで、拡大画像Ｄａは、第２タッチパネル１２０に表示されている地図画像を一定の拡大率で拡大したデータであり、この例では、図２（ｂ）に示す第２タッチパネル１２０に表示されている地図画像を拡大したものである。また、部分画像Ｔａは、第１タッチパネル１１０の表示サイズ分のデータであり、この例では、図３（ａ）に示す第１タッチパネル１１０に表示されている地図画像を表している。
【００３１】
図２（ｂ）に示す第２タッチパネル１２０上の位置で、ユーザが第１種の接触操作を行ったとする。すると、表示制御部１４４は、拡大画像Ｄａを生成し、第１種の接触操作が行われた第２タッチパネル１２０上の位置に対応する拡大画像Ｄａ中の位置が、部分画像Ｔａの中心にくるように、部分画像Ｔａの位置を決定する。そして、表示制御部１４４は、図３（ａ）に示すように、部分画像Ｔａを第１タッチパネル１１０に表示することで、拡大表示を実現する。
【００３２】
次に、第２タッチパネル１２０において位置変化操作が行われた場合に、表示制御部１４４がどのようにスクロール表示を行うかを、図７を用いて説明する。
なお、本実施の形態では、表示しようとするデータ（以下、「表示対象データ」という）のうち、実際に表示させる部分画像を逐次切り替えつつ、タッチパネル１１０に再表示することにより、スクロール表示を実現するものとする。
【００３３】
図７（ａ）は、第２タッチパネル１２０における表示対象データＤｂとスクロール表示開始前における部分画像Ｔｂ及びスクロール表示終了後における部分画像Ｔｃを示す図である。また、図７（ｂ）は、第１タッチパネル１１０における表示対象データＤｃとスクロール表示開始前における部分画像Ｔｄ及びスクロール表示終了後における部分画像Ｔｅを示す図である。
【００３４】
ここで、部分画像Ｔｂ及びＴｃは、第２タッチパネル１２０の表示サイズ分のデータである。この例では、部分画像Ｔｂが、図４（ａ）に示す第２タッチパネル１２０に表示されている地図画像を表しており、部分画像Ｔｃが、図４（ｂ）に示す第２タッチパネル１２０に表示されている地図画像を表している。
また、部分画像Ｔｄ及びＴｅは、第１タッチパネル１１０の表示サイズ分のデータである。この例では、部分画像Ｔｄが、図４（ａ）に示す第１タッチパネル１１０に表示されている地図画像を表しており、部分画像Ｔｅが、図４（ｂ）に示す第１タッチパネル１１０に表示されている地図画像を表している。
【００３５】
図４（ｂ）に示すように、ユーザが、スクロールバーＧ１０のノブＧ１２を右方向にドラッグ（位置変化操作）したとする。すると、表示制御部１４４は、図７（ａ）に示す部分画像Ｔｂの位置から部分画像Ｔｃの位置まで、部分画像の位置を第１量（例えば数ドット）ずつ移動させながら、移動後の位置の部分画像を第２タッチパネル１２０に再表示させることで、第２タッチパネル１２０におけるスクロール表示を実現する。
【００３６】
また、表示制御部１４４は、同様に、図７（ｂ）に示す部分画像Ｔｄの位置から部分画像Ｔｅの位置まで、部分画像の位置を第１量より多い第２量ずつ移動させながら、移動後の位置の部分画像を第１タッチパネル１１０に再表示させることで、第１タッチパネル１１０におけるスクロール表示を実現する。なお、上記第２量は、各タッチパネルにおけるスクロール表示にかかる時間がほぼ一致するように決定される。
【００３７】
また、上述した通り、本実施の形態では、第２タッチパネル１２０におけるスクロール量Ｓ２に対する第１タッチパネル１１０におけるスクロール量Ｓ１の割合は、ユーザが操作したスクロールバーにおけるドラッグ量と第１タッチパネル１１０に表示されている地図画像の現在の拡大率とに応じて大きくなることとしている。
ここで、第１タッチパネル１１０におけるスクロール量Ｓ１は「ａ１×Ｄ×Ｓ０×Ｅ＋ｂ１」、第２タッチパネル１２０におけるスクロール量Ｓ２は「ａ２×Ｄ×Ｓ０＋ｂ２」と表すことができる。但し、Ｄはスクロールバーにおけるドラッグ量であり、Ｅは第１タッチパネル１１０に表示されている地図画像の現在の拡大率であり、Ｓ０は単位ドラッグ量に対する第２タッチパネル１２０のスクロール量であり、ａ１、ａ２、ｂ１、ｂ２は、任意の値である。なお、Ｓ０、ａ１、ａ２、ｂ１及びｂ２の値は、携帯電話機１００のメーカにより予め設定されているものとする。また、上述した通り、拡大ボタンＧ２１及び縮小ボタンＧ２２の操作により、現在の拡大率Ｅは変化し得る。
【００３８】
＜４．操作設定＞
以下では、操作設定情報２０の設定方法について、図８及び図９を用いて説明する。
図８及び図９は、操作設定情報２０を設定するためのユーザ操作を説明するための図である。なお、図８及び図９では、一例として、携帯電話機１００が閉状態である場合の画面例のみを示し、携帯電話機１００の筐体などの記載は省略している。
【００３９】
各種ユーザ設定の選択が可能な設定メニューにおいて、ユーザが操作設定を選択すると、図８（ａ）に示す画面Ｓａがタッチパネル１１０に表示される。
この画面Ｓａは、第１種〜第３種の接触操作として用いる操作の種類をユーザが指定する画面であり、同図では、チェックボックスＢ１〜Ｂ３にデフォルトの設定として、「ロングタップ」、「ドラッグ」、「シングルタップ」が設定された状態を示している。
【００４０】
画面Ｓａにおいて、ユーザが、チェックボックスＢ１の表示位置に指等を接触させ、つまりチェックボックスＢ１の選択操作を行うと、図８（ｂ）に示すように、画面Ｓｂがタッチパネル１１０に表示される。同図では、第１種の接触操作として、「ロングタップ」と「ダブルタップ」とのいずれを用いるかを指定するためのウィンドウＷ１が表示された様子を示している。
【００４１】
ウィンドウＷ１において、ユーザが、「ダブルタップ」の選択操作を行うと、図９（ａ）に示すように、チェックボックスＢ１に「ダブルタップ」が記載された画面Ｓｃがタッチパネル１１０に表示される。
また、画面Ｓｃにおいて、ユーザが、チェックボックスＢ２の選択操作を行うと、図９（ｂ）に示すように、画面Ｓｄがタッチパネル１１０に表示される。同図では、第２種の接触操作として、「ドラッグ」と「ロングタップ」と「シングルタップ」のいずれを用いるかを指定するためのウィンドウＷ２が表示された様子を示している。なお、第３種の接触操作についても、第１種の接触操作と同様に、「ロングタップ」と「ダブルタップ」とのいずれを用いるかを指定するためのウィンドウが表示されるとしてもよい。すなわち、第１種の接触操作と、第３種の接触操作とは、「ロングタップ」と「ダブルタップ」と「シングルタップ」とのいずれかから選択されるとしてよい。もっとも、第３種の接触操作と、第１種の接触操作、第２種の接触操作とは互いに異なるものであるため、既に選択された同種類の操作は選択できないようにしてもよい。
【００４２】
特に図示して説明しないが、ウィンドウＷ２において、ユーザが、「ドラッグ」の選択操作を行うと、再び画面Ｓｃがタッチパネル１１０に表示される。この画面Ｓｃにおいて、ユーザが、ＯＫボタンＢ５の選択操作を行うと、制御部１４０は、第１種の接触操作が「ダブルタップ」であり、第２種の接触操作が「ドラッグ」であり、第３種の接触操作が「シングルタップ」であることを示すように、記憶部１３０の操作設定情報２０を更新する。
【００４３】
＜５．動作＞
次に、携帯電話機１００の動作について、図１０を用いて説明する。
図１０は、携帯電話機１００の表示制御処理を示すフローチャートである。
なお、同図に示す表示制御処理とは独立した処理として、磁気センサ７から出力された信号に基づいて、携帯電話機１００の現在の状態を示すように、記憶部１３０の状態情報１０を更新する処理が、状態検出部１４１により行われる。
【００４４】
まず、操作検出部１４２により、アプリケーションプログラム（例えば、地図アプリケーション）の実行を開始させるユーザ操作が検出されると、実行部１４３は、そのアプリケーションプログラムの実行を開始し、表示制御部１４４は、記憶部１３０の状態情報１０が示す携帯電話機１００の現在の状態が閉状態であるかを判定する（ステップＳ１）。
閉状態である場合に（ステップＳ１：ＹＥＳ）、表示制御部１４４は、実行部１４３からの指示に従って、実行中のアプリケーションプログラムが表示しようとする画像を第１タッチパネル１１０に表示させる（ステップＳ２）。
【００４５】
続いて、表示制御部１４４は、記憶部１３０の状態情報１０が示す携帯電話機１００の現在の状態が変化したか、又は操作検出部１４２によりユーザ操作が検出されたかを判定する（ステップＳ３）。なお、操作検出部１４２は、いずれかのコントローラ（１１３、１２３）から座標値が出力された場合にユーザ操作が行われたと判定する。
携帯電話機１００の現在の状態に変化がなく、かつユーザ操作が検出されなかった場合に（ステップＳ３：ＮＯ）、表示制御部１４４は、再度ステップＳ３の判定処理を行う。また、携帯電話機１００の現在の状態が変化し、又はユーザ操作が検出された場合に（ステップＳ３：ＹＥＳ）、表示制御部１４４は、再びステップＳ１から処理を行う。
【００４６】
一方、ステップＳ１において、閉状態でない場合に（ステップＳ１：ＮＯ）、表示制御部１４４は、実行部１４３の指示に従って、実行中のアプリケーションプログラムが表示しようとする画像を両タッチパネル（１１０、１２０）に表示させる（ステップＳ４）。なお、この際、表示制御部１４４は、第１タッチパネル１１０の画面中央に、カーソルＧ２０を表示させる。
【００４７】
続いて、表示制御部１４４は、操作検出部１４２により、記憶部１３０の操作設定情報２０が示す第１種の接触操作が、第２タッチパネル１２０において検出されたかを判定する（ステップＳ５）。第１種の接触操作が検出された場合に（ステップＳ５：ＹＥＳ）、表示制御部１４４は、第２タッチパネル１２０に表示されている画像を一定の拡大率で拡大した拡大画像を生成し、第１種の接触操作が行われた第２タッチパネル１２０上の位置に対応する拡大画像中の位置が部分画像の中心にくるように、部分画像の位置を決定する。そして、表示制御部１４４は、部分画像を第１タッチパネル１１０に表示する（ステップＳ６）。例えば、地図アプリケーションの実行中に、図２（ｂ）に示す第２タッチパネル１２０の位置で第１種の接触操作が行われると、表示制御部１４４は、図６に示す拡大画像Ｄａを生成し、部分画像Ｔａを第１タッチパネル１１０に表示する（図３（ａ）参照）。
【００４８】
ステップＳ６の処理を完了し、又はステップＳ５で第１種の接触操作が検出されなかった場合に（ステップＳ５：ＮＯ）、表示制御部１４４は、操作検出部１４２により、記憶部１３０の操作設定情報２０が示す第２種の接触操作が、第２タッチパネル１２０において検出されたかを判定する（ステップＳ７）。なお、この実施の形態では、第２種の接触操作はドラッグであるとしているが、操作検出部１４２は、第２タッチパネル１２０の各スクロールバー（Ｇ１０、Ｇ１１）の表示位置でドラッグが行われた場合には、第２種の接触操作ではなく、位置変化操作を検出する。
【００４９】
第２種の接触操作が検出された場合に（ステップＳ７：ＹＥＳ）、表示制御部１４４は、第２種の接触操作（ドラッグ）の向き及び距離と、カーソルＧ２０の移動の向き及び距離とがそれぞれ一致するように、カーソルＧ２０を移動表示する（ステップＳ８）。例えば、地図アプリケーションの実行中に、図３（ｂ）に示すように第２タッチパネル１２０で第２種の接触操作が行われると、表示制御部１４４は、同図に示すように、カーソルＧ２０を移動表示する。
【００５０】
ステップＳ８の処理を完了し、又はステップＳ７で第２種の接触操作が検出されなかった場合に（ステップＳ７：ＮＯ）、表示制御部１４４は、操作検出部１４２により、記憶部１３０の操作設定情報２０が示す第３種の接触操作が、第２タッチパネル１２０において検出されたかを判定する（ステップＳ９）。第３種の接触操作が検出された場合に（ステップＳ９：ＹＥＳ）、実行部１４３は、第１タッチパネル１１０のカーソルＧ２０の表示位置に対応する処理を実行し、表示制御部１４４は、実行部１４３による実行結果に応じて第１タッチパネル１１０に表示を行う（ステップＳ１０）。例えば、地図アプリケーションの実行中に、図４（ａ）に示すように第２タッチパネル１２０で第３種の接触操作が行われると、実行部１４３は、カーソルＧ２０の表示位置にある建物の情報を記憶部１３０（アプリケーションデータ４０）から読み出し、実行部１４３の指示に従って、表示制御部１４４は、この建物の情報を第１タッチパネル１１０に表示する（Ｇ２３参照）。
【００５１】
ステップＳ１０の処理を完了し、又はステップＳ９で第３種の接触操作が検出されなかった場合に（ステップＳ９：ＮＯ）、表示制御部１４４は、操作検出部１４２により、位置変化操作（この例では、各スクロールバー（Ｇ１０、Ｇ１１）の表示位置でのドラッグ）が第２タッチパネル１２０において検出されたかを判定する（ステップＳ１１）。位置変化操作が検出された場合に（ステップＳ１１：ＹＥＳ）、表示制御部１４４は、各タッチパネル（１１０、１２０）の画像をスクロール表示する（ステップＳ１２）。例えば、地図アプリケーションの実行中に、図４（ｂ）に示すように第２タッチパネル１２０で位置変化操作が行われると、表示制御部１４４は、図７（ａ）に示す部分画像Ｔｂの位置から部分画像Ｔｃの位置まで部分画像の位置を移動させながら移動後の位置の部分画像を第２タッチパネル１２０に再表示させることで、第２タッチパネル１２０におけるスクロール表示を行う。また、第２タッチパネル１２０におけるスクロール表示と並行して、表示制御部１４４は、図７（ｂ）に示す部分画像Ｔｄの位置から部分画像Ｔｅの位置まで部分画像の位置を移動させながら移動後の位置の部分画像を第１タッチパネル１１０に再表示させることで、第１タッチパネル１１０おけるスクロール表示を行う。
【００５２】
ステップＳ１２の処理を完了し、又はステップＳ１１で位置変化操作が検出されなかった場合に（ステップＳ１１：ＮＯ）、表示制御部１４４は、記憶部１３０の状態情報１０が示す携帯電話機１００の現在の状態が変化したかを判定する（ステップＳ１３）。携帯電話機１００の現在の状態が変化した場合に（ステップＳ１３：ＹＥＳ）、表示制御部１４４は、再びステップＳ１から処理を行う。
【００５３】
また、携帯電話機１００の現在の状態が変化していない場合に（ステップＳ１３：ＮＯ）、表示制御部１４４は、操作検出部１４２により、実行中のアプリケーションプログラムを終了させるユーザ操作が検出されたかを判定する（ステップＳ１４）。
実行中のアプリケーションプログラムを終了させるユーザ操作が検出されなかった場合（ステップＳ１４：ＮＯ）、表示制御部１４４は、再びステップＳ５から処理を行う。また、実行中のアプリケーションプログラムを終了させるユーザ操作が検出された場合（ステップＳ１４：ＹＥＳ）、実行部１４３は、そのアプリケーションプログラムの実行を終了し、表示制御部１４４は、表示制御処理を終了する。
【００５４】
≪補足≫
以上、本発明に係る携帯端末を実施の形態に基づいて説明したが、以下のように変形することも可能であり、本発明は上述した実施の形態で示した通りの携帯電話機に限られないことは勿論である。
（１）実施の形態に係る携帯電話機１００は、２つの表示部（第１タッチパネル１１０及び第２タッチパネル１２０）を備えるものとして説明したが、第１表示領域及び第２表示領域からその表示領域がなる１つの表示部（例えば、１つのタッチパネル）を備えるように、携帯電話機１００を変形してもよい。
【００５５】
この変形に係る携帯電話機は、第２表示領域上で第１種の接触操作が検出された場合に、当該第２表示領域に表示中の画像のうち、当該第１種の接触操作が示す位置に表示されている部分を含む画像を拡大した画像を第１表示領域に表示させる。
また、実施の形態では、第１種の接触操作は、ダブルタップ又はロングタップであるものとして説明したが、位置を示す接触操作であれば、これ以外の接触操作であってもよい。例えば、第２表示領域に拡大表示させる部分を囲むようにドラッグする操作であってもよく、この場合、第２表示領域に表示中の画像のうち、ドラッグにより囲まれた部分を含む画像を拡大した画像を第１表示領域に表示させてもよい。但し、この場合、実施の形態では、第２種の接触操作がドラッグである場合を例に説明しているので、第２種の接触操作をドラッグ以外の操作に変更する必要がある。
【００５６】
実施の形態に係る携帯電話機１００は、第１タッチパネル１１０及び第２タッチパネル１２０を備えるものとして説明したが、第１タッチパネル１１０に代えて、タッチパネル機能を有さない通常のディスプレイを備えるように、携帯電話機１００を変形してもよい。
（２）実施の形態では、位置変化操作の一例として、第２タッチパネル１２０に表示されている各スクロールバー（Ｇ１０、Ｇ１１）の位置でのドラッグを用いて説明したが、第２タッチパネル１２０上でのドラッグを位置変化操作としてもよい。但し、この場合、実施の形態では、第２種の接触操作がドラッグである場合を例に説明しているので、第２種の接触操作をドラッグ以外の操作に変更する必要がある。
【００５７】
また、通常のドラッグに限らず、他の操作を位置変化操作としてもよい。例えば、第２タッチパネル１２０が少なくとも２点の接触を検出できる、いわゆるマルチタッチ対応のタッチパネルである場合に、２本の指を用いて行うドラッグを位置変化操作としてもよい。
また、第１タッチパネル１１０に、上記実施の形態にて説明した各スクロールバー（Ｇ１０、Ｇ１１）を設け、第１タッチパネル１１０上でのドラッグを位置変化操作としてもよい。
【００５８】
さらに、第１タッチパネル１１０及び第２タッチパネル１２０の少なくともいずれかに、ユーザの直前の操作を取り消して元に戻す、いわゆるアンドウ機能のボタン（戻るボタン）を設けるとしてもよい。これら、各スクロールバー（Ｇ１０、Ｇ１１）やアンドウ機能のボタン（戻るボタン）により、第１タッチパネル１１０及び第２タッチパネル１２０の少なくともいずれかへの操作により画面スクロール後の表示を元に戻すなどの処理が行えるようになり、ユーザの利便性が向上する。
【００５９】
（３）実施の形態では、位置変化操作が行われた場合の第１タッチパネル１１０におけるスクロール量は、スクロールバーにおけるドラッグ量と第１タッチパネル１１０に表示されている画像の現在の拡大率とに応じて決定されるものとして説明した。しかしながら、第１タッチパネル１１０に表示されている画像の現在の拡大率によらず、位置変化操作が行われた場合の第１タッチパネル１１０におけるスクロール量を決定してもよい。例えば、位置変化操作が行われた場合の第２タッチパネル１２０におけるスクロール量と同じ量に、位置変化操作が行われた場合の第１タッチパネル１１０におけるスクロール量を決定してもよい。
【００６０】
また、実施の形態では、位置変化操作が行われた場合に、両タッチパネル（１１０、１２）においてスクロール表示を行うものとして説明したが、第１タッチパネル１１０においてのみスクロール表示を行うようにしてもよい。
また、実施の形態では、スクロール量Ｓ１及びＳ２を決定するための単位ドラッグ量に対する第２タッチパネル１２０のスクロール量Ｓ０や、ａ１、ａ２、ｂ１及びｂ２の値は、携帯電話機１００のメーカにより予め設定されているものとして説明した。しかしながら、これらの値を、ユーザが任意の値に設定し、又はユーザが予め定められた選択肢の中から選択した値に設定できるようにしてもよい。
【００６１】
また、実施の形態では、拡大画像の拡大率は一定であるものとして説明したが、ユーザが任意の拡大率に設定し、又はユーザが予め定められた選択肢の中から選択した拡大率に設定できるようにしてもよい。
（４）実施の形態では、図３（ａ）を用いて説明したように、拡大ボタンＧ２１及び縮小ボタンＧ２２の表示位置でユーザがシングルタップを行うと、第１タッチパネル１１０に表示されている画像の表示サイズが変更されるものとして説明した。
【００６２】
即ち、実施の形態では、第１タッチパネル１１０上での接触操作により、第１タッチパネル１１０への表示制御が行われるものとして説明したが、第１タッチパネル１１０上での接触操作により、第２タッチパネル１２０への表示制御が行われるようにしてもよい。例えば、第１タッチパネル１１０上での接触操作により、第２タッチパネル１２０に表示されている画像を拡大又は縮小表示してもよいし、スクロール表示してもよいし、第２タッチパネル１２０にもカーソルを表示して、カーソルを移動表示してもよいし、カーソルの表示位置に対応付けられている処理を実行するようにしてもよい。
【００６３】
（５）実施の形態に係る携帯電話機１００を、加速度センサを備えるように変形し、加速度センサが検出した加速度により携帯電話機１００の向きを特定し、特定した向きと各タッチパネル（１１０、１２０）に表示させる画像の天地とを合わせて表示するようにしてもよい。なお、加速度センサに限らず、ジャイロセンサ（角速度センサ）を用いてもよいし、加速度センサ及びジャイロセンサ以外の携帯電話機１００の向きを検出できる機構を用いてもよい。
【００６４】
また、実施の形態に係る携帯電話機１００は、磁気センサ７を用いて自機が閉状態であるかを検出するものとして説明したが、磁気センサ以外のセンサを用いて検出してもよい。例えば、第２筐体２の主表面に光センサを取り付け、光センサが検出した光の強さが所定の閾値未満である場合には、閉状態を検出するようにしてもよい。
（６）実施の形態では、いずれかのアプリケーションプログラムの実行が開始されたときに、図１０に示す表示制御処理を開始するものとして説明したが、特定のアプリケーションプログラムの実行が開始されたときにのみ、表示制御処理を開始するようにしてもよい。例えば、地図アプリケーションの実行が開始されたときにのみ、表示制御処理を開始するようにしてもよい。
【００６５】
なお、実行が開始されることで表示制御処理を開始することとなる特定のアプリケーションプログラムは、この変形に係る携帯電話機のメーカにより予め設定されていてもよいし、ユーザが指定できるようにしてもよい。
（７）実施の形態に係る携帯電話機１００の操作検出部１４２がダブルタップを検出するための第１の接触から第２の接触が行われるまでの所定時間（実施の形態では０．５秒）及びロングタップを検出するための接触を開始してからの経過時間（実施の形態では１秒）は、予め設定されているものとして説明した。しかしながら、これらの時間は何秒でもよく、これらの時間を、ユーザが任意の時間に設定し、又はユーザが予め定められた選択肢の中から選択した時間に設定できるようにしてもよい。
【００６６】
（８）実施の形態に係る携帯電話機１００はスライド式の端末であるものとして説明したが、他の外観（ストレート型、折りたたみ式等）を有する端末であってもよい。
また、実施の形態に係る携帯電話機１００の各タッチパネル（１１０、１２０）の形状は略矩形状であるとして説明したが、例えば、円形状、その他多角形状であってもよい。また、各タッチパネルは、ＬＣＤを含むものとして説明したが、有機ＥＬ（Ｅｌｅｃｔｒｏ−Ｌｕｍｉｎｅｓｃｅｎｃｅ）等を含むようにしてもよい。
【００６７】
（９）実施の形態に係る各タッチパッド（１１２、１２２）は、静電容量方式のタッチセンサにより実現されるものとして説明したが、この静電容量方式のタッチセンサとして、多数の電極パターンをプラスチックやガラス等の基板上に形成し、接触点の近傍の複数の電極パターンによる電流量の比率を計測することで判別する投影型や、導電膜と基板とを有して構成され、基板の隅に電極を設け、導電膜による均一な電界を形成し、指等の接触による隅の端子の電流量の比率を計測して接触位置を判別する表面型等、適宜なものを用いることができる。
【００６８】
また、各タッチパッドの検出方式は、静電容量方式に限らず、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画像に光センサを組み込んで接触位置を検知する光センサ方式等、適宜なものを用いてもよい。
【００６９】
（１０）実施の形態において説明した携帯電話機１００の各構成要素のうち、全部又は一部を１チップ又は複数チップの集積回路で実現してもよいし、コンピュータのプログラムで実現してもよいし、その他どのような形態で実現してもよい。
また、実施の形態において説明した携帯電話機１００の各構成要素は、携帯電話機１００が有するプロセッサと協働することにより、その機能を実現する。
【００７０】
（１１）実施の形態において説明した携帯電話機１００の処理（図１０参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより実施の形態で示した携帯電話機１００の各機能が実現される。
【００７１】
（１２）実施の形態に係る携帯電話機１００に、上記（１）〜（１１）の一部又は全部の変形を組み合わせて適用してもよい。
（１３）以下、更に本発明の一実施形態に係る携帯端末の構成及びその変形例と各効果について説明する。
（ａ）本発明の一実施形態に係る携帯端末は、第１表示領域及び第２表示領域を有する表示部と、前記第１表示領域及び前記第２表示領域に画像を表示させる表示制御部と、前記第２表示領域上で行われた、位置を示す第１種の接触操作を検出する操作検出部とを備え、前記表示制御部は、前記第２表示領域に表示中の画像のうち、前記操作検出部が検出した前記第１種の接触操作が示す位置に表示されている部分を含む画像を拡大した画像を前記第１表示領域に表示させる。
【００７２】
この携帯端末は、第２表示領域上で第１種の接触操作が行われた場合に、第２表示領域に表示中の画像のうち、その位置に表示されている部分を含む画像を拡大した画像を第１表示領域に表示させる。従って、マウスを備えない携帯端末においても、ユーザが拡大表示させる画像部分を、接触操作により簡単に指定することができる。
（ｂ）また、前記表示部は、前記第１表示領域を有するディスプレイと、前記第２表示領域を有するタッチパネルとからなり、前記操作検出部は、前記タッチパネルからの出力に基づいて、前記第１種の接触操作を検出することとしてもよい。
【００７３】
この携帯端末によれば、ユーザが拡大表示させる画像部分を、タッチパネルへの接触操作により簡単に指定することができる。
（ｃ）また、前記操作検出部は、更に前記第２表示領域への前記第１種の接触操作とは異なる、位置を示す第２種の接触操作を区別して検出するものであり、前記表示制御部は、更に前記第１表示領域上にカーソルを表示し、前記操作検出部が検出した前記第２種の接触操作が示す位置に基づいて、前記カーソルの表示位置を変更することとしてもよい。
【００７４】
この携帯端末は、第２表示領域上で第２種の接触操作が行われた場合に、その位置に基づいて、この第２表示領域とは異なる第１表示領域上に表示されているカーソルの表示位置を変更する。従って、ユーザは、第１表示領域に表示されている画像を自身の指等で隠してしまうことなく、第１表示領域に表示されている画像全体を見ながら、カーソルを表示位置の変更操作を行うことができる。
【００７５】
（ｄ）また、前記第２種の接触操作は、接触位置の変化を伴う操作であり、前記表示制御部は、前記第２種の接触操作が示す接触位置の変化の方向に、接触位置の変化量分、前記カーソルの表示位置を移動させて表示することとしてもよい。
この携帯端末は、第２種の接触操作が示す接触位置の変化の方向に、接触位置の変化量分、カーソルの表示位置を移動させて表示するので、ユーザに自然な操作感を提供できる。
【００７６】
（ｅ）また、前記操作検出部は、更に前記第２表示領域への前記第１種及び第２種のいずれとも異なる第３種の接触操作を区別して検出するものであり、前記携帯端末は、更に前記操作検出部が前記第３種の接触操作を検出した場合に、前記表示制御部が前記カーソルを表示されている位置に対応付けられている処理を実行する実行部を備えることとしてもよい。
【００７７】
この携帯端末は、第２表示領域上で第３種の接触操作が行われた場合に、カーソルが表示されている位置に対応付けられている処理を実行する。従って、ユーザは、第１表示領域に表示されている画像を自身の指等で隠してしまうことなく、第１表示領域に表示されている画像全体を見ながら、この携帯端末に、カーソルの表示位置に対応付けられている処理を実行させることができる。
【００７８】
（ｆ）また、前記第３種の接触操作は、接触が開始されてから特定時間が経過する前に当該接触が終了する操作であることとしてもよい。
この携帯端末によれば、ユーザは、いわゆるシングルタップという一般的に用いられる簡単な接触操作により、この携帯端末に、カーソルの表示位置に対応付けられている処理を実行させることができる。
【００７９】
（ｇ）また、前記第１種の接触操作は、接触位置がほぼ変化しない操作であり、前記操作検出部は、更に前記第２表示領域への前記第１種の接触操作とは異なる、接触位置の変化を伴う所定の位置変化操作を検出するものであり、前記表示制御部は、更に前記操作検出部が前記位置変化操作を検出した場合に、前記接触位置の変化の方向に、第１表示領域の画面をスクロール表示させることとしてもよい。
【００８０】
この携帯端末は、第２表示領域上で所定の位置変化操作が行われた場合に、第１表示領域の画面をスクロール表示する。従って、ユーザは、第１表示領域に表示されている画像を自身の指等で隠してしまうことなく、第１表示領域に表示されている画像全体を見ながら、この第１表示領域の画面をスクロール表示できる。
（ｈ）また、前記表示制御部は、前記操作検出部が前記位置変化操作を検出した場合に、当該位置変化操作における接触位置の変化量と、前記第１表示領域に表示中の画像の、前記第２表示領域に表示中の画像に対する拡大率とに応じた量だけ、前記第１表示領域の画面をスクロール表示させることとしてもよい。
【００８１】
この携帯端末は、位置変化操作における接触位置の変化量と第１表示領域に表示中の画像の拡大率とに応じた量だけ第１表示領域の画面をスクロール表示させるので、ユーザに自然な操作感を提供できる。
（ｉ）また、前記表示部は、前記第１表示領域を有する第１タッチパネルと、前記第２表示領域を有する第２タッチパネルとからなることとしてもよい。
【００８２】
この携帯端末によれば、ユーザは、第１表示領域上でも接触操作を行うことができる。
（ｊ）また、前記第１種の接触操作は、第１の接触から所定時間以内に第２の接触が行われる操作、又は接触が開始されてから特定時間が経過した後に当該接触が終了する操作であることとしてもよい。
この携帯端末によれば、ユーザは、いわゆるダブルタップ又はロングタップという一般的に用いられる簡単な接触操作により、第２表示領域に表示中の画像のうち、接触位置に表示されている部分を含む画像を拡大した画像を第１表示領域に表示させることができる。
【００８３】
（１４）本発明に係る携帯端末の第１表示領域及び第２表示領域を有する表示部は、例えば、実施の形態に係る携帯電話機１００の第１タッチパネル１１０及び第２タッチパネル１２０に相当する。また、本発明に係る携帯端末の操作検出部、実行部、表示制御部は、例えば実施の形態に係る携帯電話機１００の操作検出部１４２、実行部１４３、表示制御部１４４に相当する。
【産業上の利用可能性】
【００８４】
本発明に係る携帯端末は、複数の表示領域に画像を表示させて使用する場合に利用される。
【符号の説明】
【００８５】
１    第１筐体
２    第２筐体
３    アーム
４    レシーバ
５    マイク
６    磁石
７    磁気センサ
１００    携帯電話機
１１０    第１タッチパネル
１１１、１２１    ＬＣＤ
１１２、１２２    タッチパッド
１１３、１２３    コントローラ
１２０    第２タッチパネル
１３０    記憶部
１４０    制御部
１４１    状態検出部
１４２    操作検出部
１４３    実行部
１４４    表示制御部
【図１】
0005922497.tif 000002
【図２】
0005922497.tif 000003
【図３】
0005922497.tif 000004
【図４】
0005922497.tif 000005
【図５】
0005922497.tif 000006
【図６】
0005922497.tif 000007
【図７】
0005922497.tif 000008
【図８】
0005922497.tif 000009
【図９】
0005922497.tif 000010
【図１０】
0005922497.tif 000011